(57)【要約】      （修正有）【課題】地球温暖化を防ぐため、京都議定書が作られ、二酸化炭素などの温室効果ガスの排出削減を義務付けられている。いかにして温暖化を最小限に抑えることができるかが全世界の課題である。【解決手段】眞空室２とは別に離したところにエンジン室を設け眞空室とエンジン室を同じ液体の入っている管でつないで、ピストン８を液体の中に設け眞空室を回転させると、ピストンが流体の移動により大気圧が液体を押し、エネルギーを発生させる動力装置。【選択図】図１１
2014114797.tif 000002
【特許請求の範囲】
【請求項１】
気圧のエネルギーと液体の比重を利用し、眞空（室）を発生させ、眞空室を回転させて、断続的に大気圧のエネルギーを電気エネルギーに転換させる発電装置。
【請求項２】
大気圧のエネルギーに変化があっても、空気室の気圧は一定に保つために、同じ液体の量で、液体の中に物体を沈めたり、引き上げたりして、天秤の作用を応用し、液体の高さを一定に保つ構造とする。
【発明の詳細な説明】
【技能分野】
【０００１】本発明は自然エネルギーの開発で、トリチエリの実験と、ゲーリケのマグデブルの半球の実験の二つを組合せ応用して、新しい動力エネルギーを発生させる装置である。
【０００２】この二つの実験は、この世の中に眞空と言うものが存在することと、眞空には大気圧の大きなエネルギーが存在することの実証だけで今日までエネルギーとして生み出すことはなかったが、本発明はその自然エネルギーを生み出すことができる。
【背景技能】
【０００３】一般的に液体を使って眞空を断続的に発生させるのには、原理から言って眞空室に直接ピストンを押して、エネルギーを発生させることが、物理的に言って可能に思われるがいずれもこの工法では構造上、エネルギーは発生させることは出来ないと思料される。
【０００４】なぜなら眞空に直接ピストンを設けた工法はピストンは動かない。眞空とは密閉することで密閉されていることは吸い付いてピストンは動かない状態となる。
尚、ピストンが動くということは、ピストンの隙間に空気が入っているので動くので、空気が入ることは眞空でないことになる。
【０００５】眞空を利用し大気圧のエネルギーを発生させるには、眞空室とエンジン室を別々に作り双方の室を同じ液体が入っている管でつなぎ、ピストンを液体の中に設けることで眞空室を回転させると液体の流体が起こり、大気圧がピストンを押しエネルギーを発生させることができる。今までの工法とはまったく違った構造である。
【先行技術文献】
【０００６】
【特許文献１】特開２００８−０３８８８３
【特許文献２】特開２００５−０９８７２６
【特許文献３】特開平０８−１５９００７
【発明の概要】
【発明が解決しようとする課題】
【０００７】地球温暖化が進み問題視されている現在、石油の使用により地球全体が汚され悪影響を及ぼしており、最大の課題は二酸化炭素（ＣＯ２）の削減である。【０００８】新しい公害のない、自然エネルギーの開発が急務である。
【課題を解決するための手段】
【０００９】眞空を作りだすには、トリチエリの実験を応用し、試験管を根元より立てたり横に倒したりしないで、試験管の中の液体が入っている管と眞空となる管の堺を基準とし下部と上部に二つに分け、上部の管をＬ字型して下部の管に差し込み、差し込んだ管を回転させることにより、継続的に眞空を発生させること。【００１０】眞空室とは別に離したところにエンジン室を設け眞空室とエンジン室を同じ液体の入っている管でつないで、ピストンを液体の中に設け眞空室を回転させると、ピストンが流体の移動により大気圧が液体を押し、エネルギーが発生させる動力装置。【００１１】〔００１０〕の装置を使って、電気エネルギーを起こすこと。
【発明の効果】
【００１２】本案は眞空に対し気圧を利用し、そのエネルギーを作り出すことであるが、トリチエリの眞空実験以来、未だ４００年間もエネルギーの発生を生み出すことが出来なかった。
しかし本発明はその自然エネルギーを作り出すことができ、動力源として活用することに期待が大きい。【００１３】又、眞空に対するエネルギーは「ゲーリケ（１６０２〜８６）のマグデブルクの半球の実験」にも示されている通り小さな直径４０ｃｍ．の半球を二つ合わせ中を眞空にした場合、５トンの大きな大気圧のエネルギーがあり本発明の自然エネルギーの活用効果は大である。
【図面の簡単な説明】
【００１４】
【図１】トリチエリの実験の略図
【図２】トリチエリの試験管の上部を改良した図
【図３】図２の（１）と（２）を組み合わせた図
【図４】上部の試験管（２）を下向きにし、試験管（１）、試験管（２）に液体を入れた図
【図５】改良した試験管を回転させるため、モーター番号７を取り付けた図
【図６】試験管（１）の内部にピストン番号８、クランク番号９を取り付けた図
【図７】図１〜図６までの断面図（大気圧に変化がない場合）
【図８】大気圧に変化があったとき、液体が基準点まで押し上げられなかった場合、矢印（イ）と（ロ）との液体の高さの位置変動を示した図
【図９】物体番号１０を使い、同じ容器で同じ量の液体で、物体を上下させて液面の上下を発生させる図
【図１０】液体の最上部の一部に空気室を設け、空気室内のセンサーにより、下部の液体の中の物体が上下運動をし、常時、分岐点の位置が変わらない工法図
【図１１】本案全体の断面図
【発明を実施するための形態】
【００１５】最初に眞空を作るには「トリチエリの実験」を引用し液体を用いて眞空を作ることになるが、まず試験管を横に倒し試験管の中に空気が入らないようにして液体を入れ、試験管を立てると水の場合約１０米の高さまでは液体が上るが、それ以上は眞空となる。
【００１６】従って、１０米の長さの細い管を立てたり横に倒したり繰り返し断続的に眞空を作ることは、あまりにも非合理的であり本発明はそれを解消し、簡単に断続的に眞空を作り出すことができる。
【００１７】それは図１に示すようにトリチエリの実験図であるが、立った試験管を液体の入っている管１と眞空となる管２の分岐点の番号３を堺とし二つに分け、図２に示すような眞空となる管２をＬ字型にして図２の（１）の管に差し込み、差し込んだＬ字管は回転するようにする。回転させることによって断続的に眞空ができる。
【００１８】以上の説明だけでは簡単に眞空を作りだすことのみで、エネルギーは発生しない。
【００１９】続いてエネルギーを発生させるには、図６に示すように試験管の下部をＵ字型にし、Ｕ字型の片方の立ち上がる部分に同図の点線内の（Ａ）のエンジンのピストンを取り付ける。液体の流体によりピストンが上下運動し、大気圧が眞空を押し気圧のエネルギーが発生する。
【００２０】ここまでの説明は外気圧が一定であれば長時間、回転、稼動するも、大気圧はたえず変化しており、大気圧の変化に対応する工法が必要である。
本案は、常時、液体の高さが分岐点番号３が一定にすることが最も重要なことになる。
【００２１】従って、その工法として図９に示すように同じ容器で、同じ液体の量で、液面の高さを変動させるには、液体の中に物体を沈め、物体を上下させることにより液面の高さを変化させる。
【００２２】次に図１０に示すように試験管（１）の上部に番号１１の空気室を設け、空気室の気圧を一定に保つため、空気室内に感知センサーを設け、そのセンサーにより、番号１３のモーターが動き、物体番号１０を上下運動させることにより、液体面の高さがいつも分岐点の高さにあることになる。
【産業上の利用可能性】
【００２３】本案の眞空発生装置のエネルギーは、物理的に単純に算出すると、例えば、１ｃｍ３の水の重量は１ｇ重であり、眞空に対する気圧は１ｃｍ２当たり１ｋｇ重であるので、１ｇ重の物体を回転させて眞空を生み出すエネルギーと（摩擦等も考慮しなければらないが）眞空に対する大気圧のエネルギーとは、約９００〜１，０００倍のエネルギーを発生させることができ、エネルギーだけで計算すると効果は大きい。【００２４】本案は最初は小さな力が必要であるが、エネルギーの利用は大きく、最大の利点は▲１▼エネルギーは大気圧であり、無尽蔵にあること。▲２▼機械設置はどこにでも設けることができる。▲３▼液体が水銀の場合、高さは約１ｍもあれば小型発電機として、利用できる。▲４▼季節、天候等に関係なく、一日２４時間、エネルギーを発生させることができ、産業上の活用は大きい。【００２５】既存の再生エネルギーと本案を比較すると、
（１）地熱発電の場合、特定の場所に制約されるが、本案は生活圏内であれば特に制約はされない。
（２）太陽光発電の場合、夜間は発電できないが、本案は一日中、発電が可能である。
（３）潮汐発電の場合、設備に莫大な費用を要するが、本案は少額で済む。
（４）波力発電の場合、エネルギーが弱い。
（５）風力発電の場合、風がないと発電できないが、本案は気圧エネルギーで必要な時間で、いつでも発電できる。
（６）火力発電の場合、常時、石炭石油等、燃料が必要であるが、本案はその必要はない。
（７）水力発電の場合、大型ダムの建設費用と用地が必要で、又、渇水期の水不足に問題がある。本案はその必要はない。【００２６】本案の発電装置を小型化すれば、各家庭の一日の消費電力を発生させれば、大規模な送電設備は不要であり、水（液体）と空気で発電するので、公害のない、自然エネルギーであるので産業上大きな役割を果たすものである。
尚、原発廃止論が叫ばれている昨今であり、気圧エネルギーを活用されるべきと思料されます。
【符号の説明】
【００２７】  １．試験管（１）
２．試験管（２）
３．液体と眞空とに分かれる分岐点
４．眞空
５．水槽
６．液体
７．外力モーター
８．ピストン
９．クランク
１０．物体（錘）
１１．空気室
１２．センサー
１３．小型モーター
【図１】
2014114797.tif 000003
【図２】
2014114797.tif 000004
【図３】
2014114797.tif 000005
【図４】
2014114797.tif 000006
【図５】
2014114797.tif 000007
【図６】
2014114797.tif 000008
【図７】
2014114797.tif 000009
【図８】
2014114797.tif 000010
【図９】
2014114797.tif 000011
【図１０】
2014114797.tif 000012
【図１１】
2014114797.tif 000013
【手続補正書】
【提出日】平成25年7月31日(2013.7.31)
【手続補正１】
【補正対象書類名】特許請求の範囲
【補正対象項目名】全文
【補正方法】変更
【補正の内容】
【特許請求の範囲】
【請求項１】
気圧のエネルギーと液体の比重を利用して真空を発生させ、真空領域となる真空室を回転させて断続的に大気圧のエネルギーを電気エネルギーに転換させる発電装置において、試験管（１）内の分岐点部に空気室を設け、前記空気室内には感知センサーを設け、前記感知センサーの信号によりモーター１３が動作し、物体１０を上下運動させることで、液体面が分岐点の高さに保たれることを特徴とする真空発電装置。
【手続補正２】
【補正対象書類名】明細書
【補正対象項目名】００２２
【補正方法】変更
【補正の内容】
【００２２】
次に図１０に示すように試験管（１）内の上部であって液体と真空とに分かれる分岐点部に底面以外を壁で仕切られた空気室を設け、空気室の気圧を一定に保つため、空気室内に感知センサーを設け、前記感知センサーからの信号によりモーター１３が動作し、モーターからアームを介して取り付けられた物体１０を上下運動させることで、試験管（１）の液体面の高さがいつも液体と真空とに分かれる分岐点の高さに保たれる。